(57)【要約】      （修正有）【課題】２つの鍋蓋支持部材の間隔を土鍋が収まる幅にし、また、薄い鍋蓋を挿入しても倒れないように安定させており、しかも構造が簡単で安価に製作できる鍋蓋置き台を考案して提供する。【解決手段】剛性線条体で成形され鍋蓋を支持する鍋蓋支持部と、浅底の角形を成し水滴を受けるトレー部１１と、から構成される鍋蓋置き台１であって、鍋蓋支持部が、該略コの字形状の上横辺に凹部を設けた２つの鍋蓋支持部材３−１，３−２と、２つの持ち手部材４と、２つの脚部部材５−１と、２つの鍋蓋受け部材６と、鍋蓋転倒防止部材７−１と、から構成され、前記２つの鍋蓋支持部材と、前記２つの持ち手部材と、が、それぞれ所定の間隔を有して並立して設けられ、また、前記トレー部が、前記２つの脚部部材を内接するように設けたことを特徴とする鍋蓋置き台。【選択図】図３
0003185157.tif 000002
【実用新案登録請求の範囲】
【請求項１】
剛性線条体で成形され鍋蓋を支持する鍋蓋支持部と、浅底の角形を成した水滴受けトレー部と、から構成される鍋蓋置き台であって、鍋蓋支持部が、下に開口した略コの字形状を成しており、かつ、該略コの字形状の上横辺に凹部を設けた２つの鍋蓋支持部材と、下に開口した略コの字形状を成形した２つの持ち手部材と、前記２つの持ち手部材のそれぞれの下端部同士を持ち手部に略直交するように並行して固設した２つの脚部部材と、前記２つの持ち手部材間に架設されて該持ち手部の下端部から同じ所定の高さで略水平に固設し、かつ、その中間に前記２つの鍋蓋支持部材にも固設した２つの鍋蓋受け部材と、一方の前記鍋蓋支持部材の両縦辺と前記２つの鍋蓋受け部材との２つの交点に固着して架設した鍋蓋転倒防止部材と、から構成され、前記２つの鍋蓋支持部材と、前記２つの持ち手部材と、が、それぞれ所定の間隔を有して並立して設けられ、また、前記水滴受けトレー部が、前記２つの脚部部材を内接するように設けたことを特徴とする鍋蓋置き台。
【請求項２】
剛性線条体で成形され鍋蓋を支持する鍋蓋支持部と、浅底の角形を成した水滴受けトレー部と、から構成される鍋蓋置き台であって、鍋蓋支持部が、下に開口した略コの字形状を成した鍋蓋支持部材と、一端を前記鍋蓋支持部材と固設し、かつ、両端部に下向きに凸形状の足部を有する２つの脚部部材と、前記脚部部材の他端と固設して、前記鍋蓋支持部材に所定の間隔を有して並立して設けられた、下に開口した略コの字形状又は略馬蹄形状の鍋蓋転倒防止部材と、から構成され、前記鍋蓋支持部材と、前記鍋蓋転倒防止部材と、が、所定の間隔を有して並立して設けられ、また、前記水滴受けトレー部が、前記２つの脚部部材を内接するように設けたことを特徴とする鍋蓋置き台。
【請求項３】
前記２つの鍋蓋支持部材の前記上横辺の高さが、それぞれ異なることを特徴とする請求項１に記載の鍋蓋置き台。
【請求項４】
前記２つの鍋蓋支持部材の上横辺の前記凹部の大きさが、前記鍋蓋支持部材の前記上横辺の高さに対応して、それぞれ異なることを特徴とする請求項３に記載の鍋蓋置き台。
【請求項５】
前記所定の鍋蓋支持部材同士の間隔が、鍋蓋の厚みに対応して、３〜１０ｃｍであることを特徴とする請求項１又は３又は４のいずれかに記載の鍋蓋置き台。
【請求項６】
前記２つの脚部部材が、前記持ち手部材の下端部より延伸していることを特徴とする請求項１又は３又は４又は５のいずれかに記載の鍋蓋置き台。
【考案の詳細な説明】
【技術分野】
【０００１】
本考案は、調理中の鍋の鍋蓋を立てて台に置くことによって、安定して保持させることができて、しかも、狭いスペースでも邪魔にならずに、また、鍋蓋の内側に付いた水滴が垂れて、調理台や食卓上が汚れることを防止できる鍋蓋置き台に関するものである。
【背景技術】
【０００２】
鍋は、日本において、縄文時代の土器に始まる調理器具であって、煮る、蒸す、ゆでる、炒める、揚げる、炊くなど調理のほとんどをこなし、調理の必需品となっている。このように太古の昔から鍋に馴染みのある日本においては、現在も、特に冬場には、家庭内でも鍋料理が盛んに行われている。鍋料理は、美味しく、しかも家族団らんで食事できるので、とても楽しいものである。
【０００３】
しかし、鍋料理において、鍋から外した熱い鍋蓋を置く際には、火傷の危険が伴っていた。そして、火傷に気をつけながら、鍋蓋を安定させるために天地をひっくり返し把持部を下にして置くのが通常であった。このとき、大きい鍋蓋の平面積がそのまま置くスペースとして必要となっており、食卓や炬燵等で行われる鍋料理では、鍋の他に食材や各自の食器等で溢ることが多いので、鍋蓋の置き場に困るという問題があった。また、調理台で調理する場合においても、同様にコンロの近くにスペースがないことが多いので鍋蓋の置き場に困っていた。そのうえ、置いた鍋蓋を鍋に戻す際に、水蒸気が冷えてできた水滴が、こぼれて食卓上や調理台を汚すという問題もあった。
【０００４】
そこで、従来から、鍋から外した鍋蓋を安定させて、しかもその鍋蓋の置き場が省スペースとなるものが考案されてきた。その一例として、使用中の鍋の外部に引掛けた支持具とその支持具に載せたトレーとを用いて立てて、省スペースとした鍋蓋を安定するように支持し、また、鍋蓋の水滴をトレーで受けて調理台等が汚れるのを防止する鍋蓋支持具が先行技術として開示されている（文献１）。
【先行技術文献】
【特許文献】
【０００５】
【特許文献１】実用新案登録第３０３７６１１号公報（〔請求項１〜６〕、〔０００２〜００２４〕、〔図１〜９〕）。
【考案の概要】
【考案が解決しようとする課題】
【０００６】
前記先行技術は、鍋蓋を鍋の外側に取り付けた支持具に立てて置くので、省スペースとなるが、土鍋用の鍋蓋に用いた場合、厚みのある鍋蓋を略鉛直に立てることができないので、支持部材で土鍋を支えきれず土鍋用の鍋蓋が転倒して落下したり、土鍋蓋の重量に支持具が耐えられずに、支持具自体が鍋から外れて落下する危険性が考えられた。また、支持具の形状が複雑であるので、製作にコストがかかるという懸念があった。
【０００７】
そこで、上記の問題を解決するために、２つの鍋蓋支持部材の間隔を土鍋が収まる幅とし、また、薄い鍋蓋を挿入しても倒れないように安定させており、しかも構造が簡単で安価に製作できる鍋蓋置き台を考案して提供するものである。
【課題を解決するための手段】
【０００８】
本考案の請求項１に係る鍋蓋置き台は、剛性線条体で成形され鍋蓋を支持する鍋蓋支持部と、浅底の角形を成した水滴受けトレー部と、から構成される鍋蓋置き台であって、鍋蓋支持部が、下に開口した略コの字形状を成しており、かつ、該略コの字形状の上横辺に凹部を設けた２つの鍋蓋支持部材と、下に開口した略コの字形状を成形した２つの持ち手部材と、前記２つの持ち手部材のそれぞれの下端部同士を持ち手部に略直交するように並行して固設した２つの脚部部材と、前記２つの持ち手部材間に架設されて該持ち手部の下端部から同じ所定の高さで略水平に固設し、かつ、その中間に前記２つの鍋蓋支持部材にも固設した２つの鍋蓋受け部材と、一方の前記鍋蓋支持部材の両縦辺と前記２つの鍋蓋受け部材との２つの交点に固着して架設した鍋蓋転倒防止部材と、から構成され、前記２つの鍋蓋支持部材と、前記２つの持ち手部材と、が、それぞれ所定の間隔を有して並立して設けられ、また、前記水滴受けトレー部が、前記２つの脚部部材を内接するように設けたことを特徴とする。
【０００９】
本考案に係る鍋蓋置き台は、鍋蓋支持部と水滴受けトレー部との２つの部分から構成されており、水滴受けトレー部の中に鍋蓋支持部を入れて使用する。鍋蓋支持部は、並立した２箇所の鍋蓋支持部材と、それらの外側にさらに並立した２箇所の持ち手部材と、鍋蓋と鍋蓋支持部とを転倒させないように支える２箇所の脚部部材と、鍋蓋を下から受ける２箇所の鍋蓋受け部材と、鍋蓋支持部同士の間隔が広い場合に鍋蓋が転倒しないように鍋蓋の下端部を押さえる１本の鍋蓋転倒防止部材と、から構成されている。
【００１０】
本考案に係る鍋蓋置き台は、２箇所の鍋蓋支持部材の間に使用中の鍋蓋を上方から差し込み、鍋蓋を立てて使用する。差し込まれた鍋蓋の外縁は、鍋蓋に略直交している２箇所の鍋蓋受け部材に当接する。よって、鍋蓋受け部材で鍋蓋を下から支えて受けることができる。この際に鍋蓋の把持部は、一方の鍋蓋支持部材の凹部に遊嵌される。これらのことによって、鍋蓋の厚みと２箇所の鍋蓋支持部材の間隔がほぼ同じ場合には、鍋蓋の把持部を遊嵌した鍋蓋支持部材の凹部と、２つの鍋蓋受け部材との、３点支持によって鍋蓋を保持できる。また、鍋蓋支持部材の間隔が鍋蓋の厚みに比べて広い場合においても、鍋蓋倒れ防止部材に、立てた鍋蓋の外縁の下端部が当接するので、該鍋蓋転倒防止部材と、２つの鍋蓋受け部材と、鍋蓋の把持部を遊嵌した鍋蓋支持部材との、４点支持によって鍋蓋を転倒させずに保持することができる。即ち、本考案に係る鍋蓋置き台は、様々な厚みや直径の鍋蓋に対して用いることができ、立てたままで安全に保持することができる。
【００１１】
また、水滴受けトレー部は、調理に使用して鍋蓋に水滴が付き、立てて置いた状態の鍋蓋から滴り落ちた水滴を受けて溜めることができる。よって、調理台や食卓が水滴で汚れることを防止できる。
【００１２】
本考案の請求項２に係る鍋蓋置き台は、剛性線条体で成形され鍋蓋を支持する鍋蓋支持部と、浅底の角形を成した水滴受けトレー部と、から構成される鍋蓋置き台であって、鍋蓋支持部が、下に開口した略コの字形状を成した鍋蓋支持部材と、一端を前記鍋蓋支持部材と固設し、かつ、両端部に下向きに凸形状の足部を有する２つの脚部部材と、前記脚部部材の他端と固設して、前記鍋蓋支持部材に所定の間隔を有して並立して設けられた、下に開口した略コの字形状又は略馬蹄形状の鍋蓋転倒防止部材と、から構成され、前記鍋蓋支持部材と、前記鍋蓋転倒防止部材と、が、所定の間隔を有して並立して設けられ、また、前記水滴受けトレー部が、前記２つの脚部部材を内接するように設けたことを特徴とする。
【００１３】
この構成を採用することにより、請求項２に係る鍋蓋置き台は、鍋蓋支持部材と両脚部部材の足部の凹みの３点支持によって、薄い鍋蓋を転倒させずに保持できる。また、請求項２に係る鍋蓋置き台は、コンパクトであるので、調理台等で、非常に狭いスペースにおいても薄い鍋蓋を安定して確実に保持することがきる。また、構造が単純であるので安価に製造することができる。
【００１４】
請求項３に係る鍋蓋置き台は、請求項１において、前記２つの鍋蓋支持部材の前記上横辺の高さが、それぞれ異なることを特徴とする。
【００１５】
この構成を採用することにより、鍋蓋の直径が小さいものに用いる場合には、高さの低い側の鍋蓋支持部材の凹部に、鍋蓋の把持部を遊嵌させて保持させることによって、確実に鍋蓋の外縁が２つの鍋蓋受け部材に当接させることができる。また、直径が大きい鍋蓋に用いても、高さの高い側の鍋蓋支持部材の凹部に、鍋蓋の把持部を遊嵌させて保持させることによって、確実に鍋蓋の外縁が２つの鍋蓋受け部材に当接させることができ、また、場合によっては、鍋蓋倒れ防止部材にも引掛けることができる。よって、鍋蓋の直径の大小に関わり無く、鍋蓋を保持することができる。
【００１６】
請求項４に係る鍋蓋置き台は、請求項３において、前記２つの鍋蓋支持部材の上横辺の前記凹部の大きさが、前記鍋蓋支持部材の前記上横辺の高さに対応して、それぞれ異なることを特徴とする。
【００１７】
これらの構成を採用することにより、本考案に係る鍋蓋置き台は、鍋蓋支持部材の上横辺の高さに対応して、高さの高い場合は、凹部の大きさが大きく、低い場合には、凹部の大きさが小さくなっており、鍋蓋の直径に合わせて把持部を遊嵌させることができる。特に土鍋のように把持部の大きな鍋蓋も遊嵌させることができるので、様々な把持部の鍋蓋に使用することができる。
【００１８】
請求項５に係る鍋蓋置き台は、請求項１又は３又は４のいずれかにおいて、前記所定の鍋蓋支持部材同士の間隔が、鍋蓋の厚みに対応して、３〜１０ｃｍであることを特徴とする。
【００１９】
この構成を採用することににより、本考案に係る鍋蓋置き台は、鍋蓋の厚みが薄いものから、厚いものまで、差し込むことができるので、様々な厚みの鍋蓋に使用することができる。
【００２０】
請求項６に係る鍋蓋置き台は、請求項１又は３又は４又は５のいずれかにおいて、前記２つの脚部部材が、前記持ち手部材の下端部より延伸していることを特徴とする。
【００２１】
この構成を採用することにより、本考案に係る鍋蓋置き台は、土鍋の鍋蓋のように重たい鍋蓋を使用しても、脚部部材が張り出しているので、鍋蓋支持部が転倒することを防ぐことができる。
【考案の効果】
【００２２】
本考案に係る請求項１から６に記載の鍋蓋置き台によれば、使用中の熱い鍋蓋を、調理台や食卓上の狭いスペースに置いても、安全に置くことができると共に、トレーで受けることによって、鍋蓋から滴り落ちる水滴で、調理台や食卓上を汚すことを防ぐことができる。この鍋蓋置き台を用いることによって、調理台で快適に調理することや食卓上で鍋料理を快適にすることができる。
【図面の簡単な説明】
【００２３】
【図１】図１（ａ）は、本考案を実施するための形態に係る鍋蓋置き台の模式的斜視図であり、図１（ｂ）は、図１（ａ）におけるトレーを外した場合の鍋蓋置き台の鍋蓋支持部の模式的斜視図である。
【図２】図２（ａ）は、本考案を実施するための別の形態に係る鍋蓋置き台の模式的斜視図であり、図２（ｂ）は、図２（ａ）におけるトレーを外した場合の鍋蓋置き台の鍋蓋支持部の模式的斜視図である。
【図３】図３は、本考案を実施するための形態に係る鍋蓋置き台であって、薄い鍋蓋に用いた場合の模式的斜視図である。
【図４】図４は、本考案を実施するための形態に係る鍋蓋置き台であって、厚い鍋蓋に用いた場合の模式的斜視図である。
【図５】図５は、本考案を実施するための形態に係る鍋蓋置き台であって、（ａ）は、薄くて大きな鍋蓋に使用した場合の模式的側面図であり、（ｂ）は、薄くて小さな鍋蓋に使用した場合の模式的側面図であり、（ｃ）は、土鍋用の鍋蓋に使用した場合の模式的側面図である。
【図６】図６は、本考案を実施するための別の形態に係る鍋蓋置き台であって、（ａ）は、薄くて大きな鍋蓋に使用した場合の模式的側面図であり、（ｂ）は、薄くて小さな鍋蓋に使用した場合の模式的側面図である。
【考案を実施するための形態】
【００２４】
本考案に係る鍋蓋置き台を実施するための形態について図１（ａ）、図１（ｂ）、図２（ａ）、図２（ｂ）、図３、図４、図５（ａ）、図５（ｂ）、図５（ｃ）、図６（ａ）、図６（ｂ）を用いて説明する。図１（ａ）は、本考案を実施するための形態に係る鍋蓋置き台の模式的斜視図であり、図１（ｂ）は、図１（ａ）におけるトレーを外した場合の鍋蓋置き台の鍋蓋支持部の模式的斜視図である。図２（ａ）は、本考案を実施するための別の形態に係る鍋蓋置き台の模式的斜視図であり、図２（ｂ）は、図２（ａ）におけるトレーを外した場合の鍋蓋置き台の鍋蓋支持部の模式的斜視図である。図３は、本考案を実施するための形態に係る鍋蓋置き台であって、薄い鍋蓋に用いた場合の模式的斜視図である。図４は、本考案を実施するための形態に係る鍋蓋置き台であって、厚い鍋蓋に用いた場合の模式的斜視図である。図５は、本考案を実施するための形態に係る鍋蓋置き台であって、（ａ）は、薄くて大きな鍋蓋に使用した場合の模式的側面図であり、（ｂ）は、薄くて小さな鍋蓋に使用した場合の模式的側面図であり、（ｃ）は、土鍋用の鍋蓋に使用した場合の模式的側面図である。図６は、本考案を実施するための別の形態に係る鍋蓋置き台であって、（ａ）は、薄くて大きな鍋蓋に使用した場合の模式的側面図であり、（ｂ）は、薄くて小さな鍋蓋に使用した場合の模式的側面図である。
【００２５】
本考案に係る鍋蓋置き台１は、鍋蓋支持部２と水滴受けトレー部１１とから構成され、図１（ｂ）に示すように、鍋蓋支持部２は、それぞれ幅方向に伸びて、軸方向に並行に立設した２つの高さの異なる鍋蓋支持部材３−１、３−２と、該鍋蓋支持部材３−１、３−２の外側に軸方向に並行に立設した２つの持ち手部材４と、軸方向に伸びて、持ち手部材４に直交するように設けられて、該持ち手部材４の下端部に固設された２つの脚部部材５−１と、軸方向に伸びて、持ち手部材４の下端部から所定の高さに該持ち手部材に略水平に固設された２つの鍋蓋受け部材６と、幅方向に伸びて、２つの鍋蓋受け部材と一方の鍋蓋支持部材３−１の両縦辺との交点を結んで鍋蓋受け部材６に固設された１つの鍋蓋転倒防止部材７−１と、から構成されている。鍋蓋支持部２は、剛性線条体で形成されており、錆を防止し、衛生上又は美観の点で、ステンレス線、メッキ鉄線、塗装鉄線、被覆鉄線を用いるのが好ましいが、単なる磨き鉄線を用いることもできる。水滴受けトレー部１１は、浅い底の角形状のトレーで、プラスチック製、ステンレス製、アルミ製等を用いることができる。
【００２６】
また、本考案に係る別の形態の鍋蓋置き台１は、鍋蓋支持部２と水滴受けトレー部１１とから構成され、図２（ｂ）に示すように、鍋蓋支持部２は、鍋蓋支持部材３−３と、該鍋蓋支持部材３−３に並行に立設した鍋蓋転倒防止部材７−２と、軸方向に伸びて、該鍋蓋支持部材３−３及び鍋蓋転倒防止部材７−２に直交するように設けられて、両端部に、下に凸形状の足部７−２−２を有する２つの脚部部材５−２と、から構成されている。鍋蓋支持部２は、上述のように、剛性線条体で形成されており、錆を防止し、衛生上又は美観の点で、ステンレス線、メッキ鉄線、塗装鉄線、被覆鉄線を用いるのが好ましいが、単なる磨き鉄線を用いることもできる。水滴受けトレー部１１も、同様に、浅い底の角形状のトレーで、プラスチック製、ステンレス製、アルミ製等を用いることができる。
【００２７】
鍋蓋支持部材３−１、３−２は、下向きに開口した略コの字形状をしており、２つの縦辺と１つの上横辺とから構成されており、それぞれの上横辺には、鍋蓋２１、２２、２３の把持部の括れた部分を遊嵌するための凹部３−１−１、３−２−１を有している。また、鍋蓋支持部材３−１、３−２は、並行して立設している。
【００２８】
鍋蓋支持部材３−１は、土鍋用の鍋蓋２３のように、厚みがあり直径の大きな鍋蓋２３の把持部を凹部３−１−１に遊嵌し、鍋蓋２３の表面側を支えて、重量のある把持部側に転倒することを防止する。鍋蓋支持部材３−１は、基本的には土鍋用の鍋蓋２３に使用するので、高さも土鍋蓋２３の把持部辺りを支えられるように１５〜２５ｃｍの高さを有しており、また、凹部３−１−１も鍋蓋２３の把持部が、遊嵌できるように、直径７〜１２ｃｍの略半円形状を形成している。なお、鍋蓋支持部材３−１は、薄くて直径の大きな鍋蓋２１も、凹部３−１−１に該鍋蓋２１の把持部が嵌るのであれば、該鍋蓋２１が転倒しないので、当然、使用することができる。
【００２９】
鍋蓋支持部材３−２は、基本的には薄い鍋蓋２１、２２に使用するので、高さも直径の小さい鍋蓋２２の把持部に合う１２〜１５ｃｍの高さを有しており、また、凹部３−１−１も薄い鍋蓋２２の把持部が、遊嵌できるように、直径２〜４ｃｍの略半円形状を形成している。なお、鍋蓋支持部材３−２は、薄くて直径の大きな鍋蓋２１も、凹部３−２−１に該鍋蓋２１の把持部が嵌るのであれば、該鍋蓋が転倒しないので、使用できる。
【００３０】
鍋蓋支持部材３−３は、下向きに開口した略コの字形状をしており、２つの縦辺と１つの上横辺とから構成されている。直径の大小に関わりなく薄い鍋蓋２１、２２に使用するので、高さも１５〜２５ｃｍの高さを有している。鍋蓋２１、２２を鍋蓋支持部材３−３の上横辺に当接させて保持する。
【００３１】
持ち手部材４は、下向きに開口した略コの字形状をしており、２つの縦辺と１つの上横辺とから構成されている。また、持ち手部材４は、２箇所あり、それぞれ鍋蓋支持部材３−１、３−２の外側に、鍋蓋支持部材３−１、３−２と並行して同じ高さで立設している。本考案に係る鍋蓋置き台１は、調理台や食卓において使用するが、使用前後に鍋蓋置き台１を持ち運びする際に、同じ高さの持ち手部材４を持って安全に、容易に移動することができる。
【００３２】
脚部部材５−１は、お互いに並行するように２箇所設けてあり、並立している２箇所の持ち手部材４及び２箇所の鍋蓋支持部材３−１、３−２に直交する形で、２箇所の持ち手部材４の足元の下端部に固設して、鍋蓋支持部２全体を支えている。脚部部材５−１は、水滴受けトレー部１１に内接して、水滴受けトレー部１１と離着自在に設置されている。なお、脚部部材５−１は、持ち手部材４の下端部との固設箇所より、外側に張り出し部５−１−１を設けることによって、鍋蓋２１、２２、２３の重量による鍋蓋支持部２の転倒を防止できる。  
【００３３】
脚部部材５−２は、お互いに並行するように２箇所設けてあり、それぞれの両端部に下に凸形状の足部５−２−２を有しており、並立している鍋蓋支持部材３−３及び鍋蓋転倒防止部材７−２に直交する形で、それぞれの下端部に固設して、鍋蓋支持部２全体を支えている。脚部部材５−２は、水滴受けトレー部１１に内接して、水滴受けトレー部１１と離着自在に設置されている。また、足部５−２−２の上面の凹みは、鍋蓋２１、２２の外縁下部を引掛けて、鍋蓋２１、２２を保持する目的で使用される。
【００３４】
鍋蓋受け部材６は、お互いに並行するように２箇所設けてあり、２箇所の持ち手部材４間を、それぞれの下端部から所定の高さで水平に架設している。また、２箇所の鍋蓋受け部材６は、中間部でそれぞれ、２つの鍋蓋支持部材３−１、３−２の両縦辺と固設して、鍋蓋支持部材３−１、３−２と鍋蓋２１、２２、２３の重量を支えるようになっている。鍋蓋受け部材６は、２箇所で、鍋蓋２１、２２、２３の外縁部を当接させて、鍋蓋２１、２２、２３を下から受けて支えている。鍋蓋受け部材６は、持ち手部材４の下端部から２〜６ｃｍの高さに架設されるが、好適は３〜４ｃｍである。直径が小さい鍋蓋２２に用いる場合には、２つの鍋蓋受け部材６の高さを高くすれば、鍋蓋２２の直径に近い場所で受けても、鍋蓋２２の外縁が、下の水滴受けトレー部１１に接することがないので、鍋蓋２２が水滴等の溜まりで汚れることを防ぐことができる。また、直径が大きい鍋蓋２１に用いる場合には、２つの鍋蓋受け部材６の高さを低くすれば、鍋蓋支持部材３−１の上横辺との間に距離をとることができるので、鍋蓋２１を差し込んだ際に鍋蓋２１を安定させることができる。
【００３５】
鍋蓋転倒防止部材７−１は、鍋蓋支持部材３−１の両縦辺と鍋蓋受け部材６との交点を結んで固設している。図５（ａ）に示すように、鍋蓋置き台１に、薄くて大きい鍋蓋２１を保持する際には、そのまま鍋蓋２１を、鍋蓋支持部材３−２の側に、略鉛直に立てて保持すると、鍋蓋２１が転倒するおそれがある。そこで、鍋蓋２１の下端部を、少し鍋蓋支持部材３−１側に傾けて、鍋蓋転倒防止部材７−１に鍋蓋２１の下端部を当接すれば、それ以上鍋蓋２１が傾くことがなく、転倒を防ぐことができる。また、図５（ｂ）に示すように、鍋蓋置き台１に、薄くて小さな鍋蓋２２を保持する際には、鍋蓋２２を、鍋蓋支持部材３−２の側に、略鉛直に立てて保持するので、鍋蓋転倒防止部材７−１と接触しないから邪魔にならない。同様にして、図５（ｃ）に示すように、鍋蓋置き台１に、土鍋蓋のように厚みがあり直径の大きな鍋蓋２３を保持する際には、鍋蓋２３は、外縁部に向かって厚みが薄くなるよう曲線を描いているので、鍋蓋転倒防止部材７−１と接触しないので、邪魔にならない。
【００３６】
鍋蓋転倒防止部材７−２は、鍋蓋支持部材３−３に、並行して設けられており、２つの脚部部材５−２と固設している。図６（ａ）（ｂ）に示すように、鍋蓋置き台１に、鍋蓋２１、２２を保持する際には、通常は、足部５−２−２の上面の凹みに、鍋蓋２１、２２の外縁下部を引掛けて、鍋蓋２１、２２を保持するが、何かの弾みで、足部５−２−２の凹みから外れたとしても、鍋蓋転倒防止部材７−２によって、鍋蓋２１、２２の外縁下部は引っ掛かるので、それ以上鍋蓋２１、２２が傾くことがなく、転倒を防ぐことができる。
【００３７】
２つの鍋蓋支持部材３−１、３−２と、２つの持ち手部材４は、それぞれ並立しており、鍋蓋支持部材３−１、３−２同士の間隔は３〜１０ｃｍである。間隔を広くとれば、厚い鍋蓋２３も使用できるし、間隔を狭くすれば、薄い鍋蓋２１、２２に使用した際に、鍋蓋置き台１のスペースを小さくできる。また、持ち手部材４と鍋蓋支持部材３−１、３−２との間隔は、２〜５ｃｍである。この間隔を広くとれば、鍋蓋支持部材３−１、３−２に重たい鍋蓋２３の自重がかかっても、鍋蓋支持部２は、転倒しないし、間隔を狭くすれば、薄い鍋蓋２１、２２に使用した際に、鍋蓋２１、２２が安定すると共に、鍋蓋置き台１のスペースを小さくできる。汎用性のある鍋蓋置き台１としては、鍋蓋支持部材３−１、３−２同士の間隔が１０ｃｍが、土鍋用の鍋蓋２３にも使用できるので、好適である。また、鍋蓋支持部材３−３と鍋蓋転倒防止部材７−２は、それぞれ並立しており、その間隔は５〜１０ｃｍであり、６〜８ｃｍが好適である。この間隔を広くとれば、鍋蓋置き台１は、転倒に対する安定性が増し、間隔を狭くすれば、鍋蓋置き台１のスペースを小さくできる。
【００３８】
水滴受けトレー部１１は、調理に使用して水滴が付着した鍋蓋２１、２２、２３を立てて置いた際に、鍋蓋２１、２２、２３から滴り落ちた該水滴を受けて溜めることができる。よって、調理台や食卓が水滴で溢れ、また、汚れることを防止できる。
【００３９】
次に、本考案に係る鍋蓋置き台１の製造方法の一例を説明する。まず、ステンレス線を、所定の長さに切断して、２本の鍋蓋支持部材３−１、３−２と、２本の持ち手部材４と、２本の脚部部材５−１と、２本の鍋蓋受け部材６と、１本の鍋蓋転倒防止部材７−１とし、それらを、それぞれの所定の形状に合うように折り曲げる。次に、２本の鍋蓋受け部材６の所定の位置に、２本の鍋蓋支持部材３−１、３−２と、２本の持ち手部材４と、をスポット溶接して固設する。さらに、２本の脚部部材５−１の所定の位置に、持ち手部材４の下端部をスポット溶接して固設すれば、鍋蓋支持部２は、できあがる。次に、アルミ板をプレスして水滴受けトレー部１１を成形する。鍋蓋支持部材２の脚部部材５−１を水滴受けトレー部１１に内接させて、本考案に係る鍋蓋置き台１は、完成する。なお、図１（ａ）、（ｂ）に示すように、２本の鍋蓋支持部材３−１、３−２は、１本のステンレス線を曲げて加工してもよい。
【００４０】
次に、本考案に係る鍋蓋置き台１の使用方法の一例を説明する。まず、本考案に係る鍋蓋置き台１を、薄くて大きい鍋蓋２１に対して使用する場合を説明する。図３及び図５（ａ）に示すように、鍋蓋置き台１の低い方の鍋蓋支持部材３−２に略鉛直に立てることができないような薄くて直径の大きな鍋蓋２１を、鍋蓋置き台１の鍋蓋支持部材３−１、３−２の間に上から挿入して、鍋蓋２１の外縁部を、両鍋蓋受け部材６に当接させる。次に、鍋蓋２１を鍋蓋受け部材６に当接させてまま、鍋蓋２１の下端部を背の高い側の鍋蓋支持部材３−１の側に滑らせて、鍋蓋転倒防止部材７−１に当接させる。そして、鍋蓋２１の上部を低い側の鍋蓋支持部材３−２にもたれさせて使用する。このように使用すれば、本考案に係る鍋蓋置き台１は、鍋蓋２１を、鍋蓋支持部材３−２と２つの鍋蓋受け部材６と鍋蓋転倒防止部材７−１との４点で支持させることができるので、確実に保持することができる。
【００４１】
次に、本考案に係る鍋蓋置き台１の使用方法の別の一例として、鍋蓋置き台１を、薄くて小さい鍋蓋２２に対して使用する場合を説明する。図３及び図５（ｂ）に示すように、薄くて直径の小さい鍋蓋２２を、鍋蓋置き台１の鍋蓋支持部材３−１、３−２の間に上から挿入して、鍋蓋２２の把持部を、低い側の鍋蓋支持部材３−２の凹部３−２−１に引掛けると共に、鍋蓋２２の外縁部を、両鍋蓋受け部材６に当接させて、鍋蓋２２を略鉛直に立てて保持して使用する。このように使用すれば、本考案に係る鍋蓋置き台１は、鍋蓋２２を、鍋蓋支持部材３−２の凹部３−２−１と２つの鍋蓋受け部材６との３点で支持させることができるので、確実に保持することができる。なお、鍋蓋転倒防止部材７−１は、鍋蓋２２に接触しないので、鍋蓋２２の保持の妨げにならない。
【００４２】
また、本考案に係る鍋蓋置き台１の使用方法のさらに別の一例として、鍋蓋置き台１を、厚くて大きい土鍋用の鍋蓋２３に対して使用する場合を説明する。図４及び図５（ｃ）に示すように、厚くて直径の大きい土鍋用の鍋蓋２３を、鍋蓋置き台１の鍋蓋支持部材３−１、３−２の間に上から挿入して、鍋蓋２３の把持部を、背の高い側の鍋蓋支持部材３−１の凹部３−１−１に引掛けると共に、鍋蓋２３の外縁部を、両鍋蓋受け部材６に当接させて、鍋蓋２３を略鉛直に立てて保持して使用する。さらに、土鍋用鍋蓋２３の厚みによっては、外縁部が、鍋蓋支持部材３−２も当接する。このように使用すれば、本考案に係る鍋蓋置き台１は、鍋蓋２３を、鍋蓋支持部材３−１の凹部３−１−１と２つの鍋蓋受け部材６との３点で支持、又は、さらに鍋蓋支持部材３−２を加えて４点支持させることができるので、確実に保持することができる。なお、鍋蓋転倒防止部材７−１は、鍋蓋２３に接触しないので、鍋蓋２３の保持の妨げにならない。
【００４３】
また、本考案の別の形態に係る鍋蓋置き台１の使用方法の一例として、鍋蓋置き台１を、薄くて大きい鍋蓋２１に対して使用する場合を説明する。図６（ａ）に示すように、直径の大きな鍋蓋２１を、鍋蓋置き台１の鍋蓋支持部材３−３と鍋蓋転倒防止部材７−２の間に上から挿入して、鍋蓋２１の外縁下部を、両脚部部材５−２の足部５−２−２の上面の凹みに引掛けて、そして、鍋蓋２１を鍋蓋支持部材３−３に当接させて使用する。このように使用すれば、本考案に係る鍋蓋置き台１は、鍋蓋２１を、鍋蓋支持部材３−３と２つの脚部部材５−２との３点で支持させることができるので、確実に保持することができる。
【００４４】
次に、鍋蓋置き台１を薄くて小さい鍋蓋２２に対して使用する場合を説明する。図６（ｂ）に示すように、直径の大きな鍋蓋２１の場合と同様に、直径の小さな鍋蓋２２を、鍋蓋置き台１の鍋蓋支持部材３−３と鍋蓋転倒防止部材７−２の間に上から挿入して、鍋蓋２２の外縁下部を、両脚部部材５−２の足部５−２−２の上面の凹みに引掛けて、そして、鍋蓋２２を鍋蓋支持部材３−３に当接させて使用する。このように使用すれば、本考案に係る鍋蓋置き台１は、鍋蓋２２を、鍋蓋支持部材３−３と２つの脚部部材５−２との３点で支持させることができるので、確実に保持することができる。
【産業上の利用可能性】
【００４５】
鍋の鍋蓋を使用する分野で広く利用できる。
【符号の説明】
【００４６】
１：鍋蓋置き台
２:鍋蓋支持部
３−１：鍋蓋支持部材（高）            ３−２：鍋蓋支持部材（低）
３−３：鍋蓋支持部材（薄）  
３−１−１：凹部（鍋蓋支持部材（高））
３−２−１：凹部（鍋蓋支持部材（低））  
４：持ち手部材      
５−１：脚部部材                        ５−２：脚部部材
５−１−１：脚部部材（張り出し部）  ５−２−２：脚部部材（足部）
６：鍋蓋受け部材        
７−１：鍋蓋転倒防止部材                ７−２：鍋蓋転倒防止部材（薄）
１１：水滴受けトレー部
２１：鍋蓋（大）
２２：鍋蓋（小）
２３：土鍋用の鍋蓋
【図１】
0003185157.tif 000003
【図２】
0003185157.tif 000004
【図３】
0003185157.tif 000005
【図４】
0003185157.tif 000006
【図５】
0003185157.tif 000007
【図６】
0003185157.tif 000008